(57)【要約】      （修正有）【課題】筒状体の上下の開口端を開放状として装着を容易にし、かつ、上下共面ファスナーで調節することができ、ずれにくく膝回りに密着状に装着される膝関節用サポーターを提供する。【解決手段】伸縮性を有する布地等の素材を用いて略円筒状に形成される膝関節を保護する主体部１の裏面にはホルミシス発泡体２を多数配設したクロロプレンゴム製の中地３が取り付けられ、かつ、複数のゲルマニウム粒４を適宜位置に融着材を介して配列固着され、前記主体部１は大腿部に装着される上端側には２つの取付け片８、８が止着手段９を介して相互に重ね合わせ状に着脱可能に止着され、脹脛部に装着される下端側には２つの取付け片１２が止着手段１３を介して相互に重ね合わせ状に着脱可能に止着される。【選択図】図１
0003149950.tif 000002
【実用新案登録請求の範囲】
【請求項１】
伸縮性を有する布地等の素材を用いて略円筒状に形成される膝関節を保護する主体部の裏面にはホルミシス発泡体を多数配設したクロロプレンゴム製又は圧縮ウレタン製の中地が取り付けられ、かつ、複数のゲルマニウム粒を適宜位置に融着材を介して配列固着し、前記主体部は、大腿部に装着される上端側には２つの取付け片を形成して面ファスナー等の止着手段を介して相互に重ね合わせ状に着脱可能に止着され、脹脛部に装着される下端側の開口端には２つの取付け片を形成して面ファスナー等の止着手段を介して相互に重ね合わせ状に着脱可能に止着される膝関節用サポーター。
【請求項２】
磁性体粒マグネットを前記ゲルマニウム粒と併用してなる請求項１記載の膝関節用サポーター。
【考案の詳細な説明】
【技術分野】
【０００１】  本考案は膝の痛みを和らげ、凝りを解消するための膝関節用サポーターに関するものである。
【背景技術】
【０００２】  従来身体とくに膝には通称神経痛といわれる痛みや凝りの症状がみられ、これらの症状には保温効果により痛みを和らげる膝当てや円筒状のサポーターが用いられていた。また、これらのサポーターには永久磁石を縫い付け磁気の効果を活用して血行をよくしたり、遠赤外線を放射する各種の鉱石類を用いたものが取付けられていた。【０００３】
【考案の開示】
【考案が解決しようとする課題】
【０００４】  上記の如く、従来用いられているサポーター類は、円筒形を呈してひざ上部分及びひざ下部分の両端をゴム状にして締め付け、ずれ防止を図っているが、歩いたり屈伸をするたびにずれてしまい目的を果たさないものが多い。また、大きさで何種類かのサイズはあるものの、決められたサイズで上側は合っても下側は合わなかったり、その逆であったり、また、ゴムがきつ過ぎ痛かったりと自分の膝サイズにピタリマッチしにくいこともずれの要因である。また、装着のたびに足を挿入するため手間がかかり、とくに体の曲げや屈伸が不十分な高齢者には装着しにくかった。【０００５】  同時に、永久磁石を縫い付ける作業も針に磁石が吸い付くためなかなか作業効率が上がらない。また、ゲルマニウム粒は直径５〜８ミリ、長さ３ミリ程の円筒形で尖った先端部分を表面に向けて装着することは難しく、製品化されていないのが実状である。【０００６】  本考案は、筒状体の上下の開口端を開放状として装着を容易にし、かつ、締め付けの際は面ファスナーで各人の上下の膝回りに合わせて行い、ずれにくく常に密着状に装着される膝関節用サポーターを提供するものである。【０００７】  また、ホルミシス作用を有するモナザイトに、遠赤外線効果が高い備長炭を混ぜ合わせた微粉末を発泡塗布した中地を供することにより膝関節の周囲を温め、さらにゲルマニウム粒や永久磁石を配設することにより、押圧刺激し血液の循環を促進することにより、血行をよくして膝に生じ易い痛みや凝りを一層和らげる膝関節用サポーターを提供するものである。
【課題を解決するための手段】
【０００８】  本考案に係る膝関節用サポーターは、伸縮性を有する布地等の素材を用いて略円筒状に形成される膝関節を保護する主体部の裏面にはホルミシス発泡体を多数配設したクロロプレンゴム製または圧縮ウレタン製の中地が取り付けられ、かつ、複数のゲルマニウム粒を適宜位置に融着材を介して配列固着される前記主体部は、大腿部に装着される上端側には２つの取付け片が形成され、面ファスナー等の止着手段を介して相互に重ね合わせ状に着脱可能に止着され、脹脛部に装着される下端側には２つの取付け片が形成され面ファスナー等の止着手段を介して相互に重ね合わせ状に着脱可能に止着されることを特徴とするものである。【０００９】  さらに、その表面をメッシュ状の保護材で被覆された磁性体粒マグネットを前記ゲルマニウム粒と併用してなることを特徴とするものである。
【考案の効果】
【００１０】  本考案に係る膝関節用サポーターによれば、膝部にゲルマニウム粒を用いることにより、ゲルマニウム粒の特性である生体電流の電位バランスや血液を正常化して血行を浄化し、効率的にマイナスイオン効果や温熱効果を促進して膝の凝りや痛み等の不快な症状を和らげることができる。【００１１】  さらに、ゲルマニウム粒と磁性体粒マグネットやホルミシス発泡体を配設した中地を併用することにより、膝周囲を温め一層効果的に膝の凝りや痛み等の不快な症状を和らげることができる。【００１２】  さらに、円筒状の主体部が伸縮性を持った素材を用いて使用者によって異なる大腿部や脹脛部に対応して密着状に装着され、また、大腿部に装着される上端側および脹脛部に装着される下端側には、それぞれ２つの取付け片が設けられて面ファスナーを介して相互に重ね合わせ状に着脱可能に止着され、身体の硬くなった高齢者でも膝部への装着が簡単かつ容易に行うことができる。
【考案を実施するための最良の手段】
【００１３】  図１は、本考案に係る膝関節用サポーターを示す正面略示図、図２は、膝への装着状態を示す略示図、図３は、他の実施例を示す正面略示図である。
【００１４】  本考案に係る膝関節用サポーターは、伸縮性を有する布地等の素材を用いて略円筒状に形成される膝関節を保護する主体部１の裏面には、ホルミシス発泡体２を多数略整列状に配設したクロロプレンゴム製または圧縮ウレタンの中地３が取り付けられ、かつ、ゲルマニウム粒４と２連または３連の磁性体粒マグネット５を適宜数融着材を介して配列固着され、２連または３連の磁性体粒マグネット５はその表面をメッシュ状の保護材で被覆している。
【００１５】  前記主体部１は、大腿部６に装着される上端側の開口端７には２つの取付け片８、８を設けて面ファスナー等の止着手段９を介して相互に重ね合わせ状に着脱可能に止着される。
【００１６】  また、前記主体部１は脹脛部１０に装着される下端側の開口端１１にも、上端側に形成される２つの取付け片８、８よりも小さな２つの取付け片１２、１２を設けて、面ファスナー等の止着手段１３を介して相互に重ね合わせ状に着脱可能に止着されている。
【００１７】  上記構成を有する本考案に係る膝関節用サポーターは、図２に示すように、上下端に形成される取付け片８、１２を開放状態にして、上端側の開口端７より足を挿入して、中央に穿設される穴部１４に膝頭を露呈した状態で上下端の取付け片８、１２を面ファスナー等の止着手段９、１３を介してそれぞれ相互に止着してピッタリと装着されるものである。
【図面の簡単な説明】
【００１８】  なお、本考案に係る膝関節サポーターは、図３に示すように主体部１をあらかじめ円筒状に製することなく、展開状に形成して取付片１２、１２を上端側の取付片８、８と略同様に形成して巻回状に装着するものであってもよい。【００１９】
【図１】  本考案に係る膝関節用サポーターを示す正面略示図である。
【図２】  装着状態を示す略示図である。
【図３】  他の実施例を示す正面略示図である。
【符号の説明】
【００２０】１    主体部
２    ホルミシス発泡体
３    中地
４    ゲルマニウム粒
５    磁性体粒マグネット
６    大腿部
７    上端側の開口端
８    上端側の取付け片
９    上端側の止着手段
１０  脹脛部
１１  下端側の開口端
１２  下端側の取付け片
１３  下端側の止着手段
１４  穴部
【図１】
0003149950.tif 000003
【図２】
0003149950.tif 000004
【図３】
0003149950.tif 000005